(57)【要約】  本発明は、ユーザがスクリーン（４４）上に表示される情報を見ることができるようにする開口部（４８）を有するヒューマン・マシン・インタフェース（４０）の製造方法に関する。各スクリーンモジュール（４２）は、固有の制御手段（５２）を備え、スクリーンとは関係のない機能のための少なくとも１つのコントロールボタン、および／または少なくとも１つのインジケータを備えるコントロールボードを収容する筐体（４６）の中に、スクリーンモジュール（４２）を配置することによって、種々のヒューマン・マシン・インタフェース（４０）を、同じスクリーンモジュール（４２）として製造することを特徴としている。【選択図】図８
2012533471.tif 000002
【特許請求の範囲】
【請求項１】
ヒューマン・マシン・インタフェース（４０）の製造方法であって、ユーザがスクリーン（４４）上に表示される情報を見ることができるようになっている開口部（４８）を有する筐体（４６）の中に配置された前記多機能スクリーン（４４）のモジュール（４２）を備え、
各スクリーンモジュール（４２）が固有の制御手段（５２）を備えているために、前記スクリーンとは関係のない機能の少なくとも１つのコントロールボタン（６７）、および／または少なくとも１つのインジケータを備える計器盤（５７）を収容する筐体（４６）の中に、これらのスクリーンモジュール（４２）を配置することによって、同じスクリーンモジュール（４２）に基づいて、種々のヒューマン・マシン・インタフェース（４０）を製造することを特徴とする製造方法。
【請求項２】
種々のヒューマン・マシン・インタフェース（４０）は、種々の形状の開口部（４８）を有することを特徴とする請求項１に記載の製造方法。
【請求項３】
種々のスクリーン（４４）の開口部（４８）は、他と異なるように、前記ヒューマン・マシン・インタフェースのユーザに対して、前記スクリーン（４４）の輪郭（５８）を隠していることを特徴とする請求項２に記載の製造方法。
【請求項４】
前記筐体（４６）の開口部（４８）は、透明面または半透明面（４７）で覆われていることを特徴とする請求項１〜３のいずれか１項に記載の製造方法。
【請求項５】
タッチコントロール手段（４７）は、前記透明面または半透明面（４７）と関係づけられることを特徴とする請求項４に記載の製造方法。
【請求項６】
前記スクリーンモジュール（４２）の制御手段（５２）は、前記インタフェース内のリンク（４５）を介して、コントロールパネルコネクタに接続されていることを特徴とする請求項１〜５のいずれか１項に記載の製造方法。
【請求項７】
ヒューマン・マシン・インタフェース（４０）であって、ユーザがスクリーン（４４）上に表示される情報を見ることができるようになっているスクリーン開口部（４８）を有する筐体（４６）の中に配置された前記多機能スクリーン（４４）のモジュール（４２）を備え、
前記スクリーンモジュール（４２）は、固有の制御手段（５２）を備えており、
前記筐体（４６）には、前記スクリーンとは関係のない機能の少なくとも１つのコントロールボタン（６７）、および／または少なくとも１つのインジケータを備えるコントロールパネル（５７）が収容されていることとを特徴とするヒューマン・マシン・インタフェース（４０）。
【請求項８】
前記スクリーン開口部（４８）は、前記ヒューマン・マシン・インタフェースのユーザに対して、前記スクリーンの輪郭（５８）の全部または一部を隠していることを特徴とする請求項７に記載のヒューマン・マシン・インタフェース（４０）。
【請求項９】
前記スクリーン開口部（４８）は、透明面または半透明面（４７）で覆われていることを特徴とする請求項６〜８のいずれか１項に記載のヒューマン・マシン・インタフェース（４０）。
【請求項１０】
前記透明面または半透明面は、タッチコントロール手段（４７）を備えていることを特徴とする請求項９に記載のヒューマン・マシン・インタフェース（４０）。
【請求項１１】
前記スクリーンモジュール（４２）の制御手段（５２）は、前記モジュール内の接続（４５）を介して、前記コントロールパネルのコネクタに接続されていることを特徴とする請求項７〜１０の１項に記載のヒューマン・マシン・インタフェース（４０）。
【請求項１２】
ヒューマン・マシン・インタフェース（４０）の組み立て方法であって、車両のダッシュボードに収容されるようになっている筐体（４６）の中に配置された多機能スクリーン（４４）を備え、
前記インタフェース（４０）は、請求項７〜１１のいずれか１項に従い、このヒューマン・マシン・インタフェース（４０）は、単一ユニットとして、前記ダッシュボードに収容されていることを特徴とする組み立て方法。
【発明の詳細な説明】
【技術分野】
【０００１】
本発明は、自動車用ヒューマン・マシン・インタフェースの製造方法、およびこの方法によって得られるヒューマン・マシン・インタフェースに関する。
【背景技術】
【０００２】
自動車の計器盤の中央部に、例えばマルチメディアドライブ、または衛星測位支援などに関連する情報の表示を可能にする、多機能スクリーンを備えるヒューマン・マシン・インタフェースを取り付けることは周知である。
【０００３】
場合によっては、この多機能スクリーンは、スクリーンへ単に接触することによって、このスクリーンを制御できる触覚スクリーン有することがある。
【０００４】
図１は、そのような公知のヒューマン・マシン・インタフェース１０の断面を示す。通常、このヒューマン・マシン・インタフェース１０は、ユーザが使用する情報を表示するようになっている、例えば「薄膜トランジスタ」技術（省略してＴＦＴ技術）などを利用するスクリーン１２を備えている。
【０００５】
このスクリーン１２は、単一ユニットの中に、ヒューマン・マシン・インタフェース１０の要素の全てを組み込むことができる筐体１４、または容器の中に組み込まれ、計器盤の中央領域に配置される。
【０００６】
この中央領域に、空調、および／またはラジオなどの機器の制御を可能にする少なくとも１つのヒューマン・マシン・インタフェース１１を収容することも、周知のプラクティスである。この場合、前記インタフェース１１は、押しボタン式、または回転式のボタン１６を備えてもよい。
【０００７】
筐体１４は、スクリーン１２の輪郭と対応する形状の開口部２０を有する。この開口部２０は、ヒューマン・マシン・インタフェース１０のユーザが、スクリーン１２に表示される情報を見ることができるようになっている。
【０００８】
このスクリーン１２は、プリント回路２２によって制御される。より正確には、スクリーン１２に接続されている、プリント回路２２上にあるマイクロコントローラ２４によって制御される。
【０００９】
このマイクロコントローラ２４は、ヒューマン・マシン・インタフェース１０の裏カバー３０の中に収容されているコネクタ２６および２８を介する、車内ネットワークとの通信も管理する。
【発明の概要】
【発明が解決しようとする課題】
【００１０】
多機能スクリーンを備えるこのようなヒューマン・マシン・インタフェース１０は、ユニット形状の専用筐体の簡単な取り付けによって、車両の計器盤に容易に組み込むことができるが、多くの欠点を有する。
【００１１】
第１の欠点は、たいていは矩形である、スクリーン１２の輪郭１８に起因する。これは、この押し付けられた形状の物体を組み込む計器盤のスタイル、および／またはデザインを限定してしまう。
【００１２】
第２の欠点は、このようなヒューマン・マシン・インタフェースの製造コストにある。製造されるインタフェースの数が非常に少ないと、型式および／または車種に使われる特殊なヒューマン・マシン・インタフェースを有することを可能にするものの、そのコストは、製造されるインタフェースの数が少ない場合、ますます高くなる。
【００１３】
本発明の目的は、前述の欠点の少なくとも１つを解消することである。これは、スクリーンモジュールに、全部のヒューマン・マシン・インタフェースに共通の制御手段を使用すると、種々のインタフェースを有する同じスクリーンモジュールを使用するのに、高コストとなるという発見に由来している。その理由は、これらの制御手段を、各ヒューマン・マシン・インタフェースの関連モジュールに適合させなければならないからである。
【課題を解決するための手段】
【００１４】
このため、本発明は、ユーザがスクリーン上に表示される情報を見ることができるようになっている開口部を有する筐体の中に配置された、多機能スクリーンモジュールを備えるヒューマン・マシン・インタフェースの製造方法に関するものである。各スクリーンモジュールは、固有の制御手段を備えているので、スクリーンとは関係のない機能の少なくとも１つのコントロールボタン、および／または少なくとも１つのインジケータを備える計器盤を収容する筐体の中に、これらのスクリーンモジュールを配置することによって、同じスクリーンモジュールに基づいて、種々のヒューマン・マシン・インタフェースを製造することを特徴としている。
【００１５】
この製造方法は、多くの利点を有する。特に、そのインタフェースの制御手段は、それ自身の制御手段を備えるスクリーンモジュールを変更する必要がないので、容易に、かつ限られたコストで、種々のインタフェースを製造するために、全く同じスクリーンモジュールを使用することができる。
【００１６】
さらに、この方法は、計器盤の中に種々の機器を容易に組み込むことを可能にする。これらの機器は、スクリーンモジュールと全く同じ筐体に組み込まれ、この筐体に組み込まれるスクリーンモジュール、およびコントロールパネルに関して、単一のユニットを形成する。
【００１７】
最後に、本発明は、種々の開口部を、全く同じスクリーンモジュールと関係付けることを可能にする。これにより、全く同じスクリーンモジュールを組んだヒューマン・マシン・インタフェースの可能なスタイル、および／またはデザインが増加する。
【００１８】
その結果、多数のインタフェースを全く同じ多機能スクリーンモジュールを使用して製造しうるので、多機能スクリーンモジュールのコストは減少し、本発明によるヒューマン・マシン・インタフェースの製造コストは抑えられる。
【００１９】
本発明の一実施形態による種々のヒューマン・マシン・インタフェースは、種々の形状の開口部を有する。
【００２０】
一実施形態では、種々のスクリーン開口部は、ヒューマン・マシン・インタフェースのユーザに対して、スクリーンの輪郭を異なるように覆う。
【００２１】
一実施形態では、筐体の開口部は、透明面または半透明面で覆われている。
【００２２】
一実施形態では、例えば接触検出部などの制御手段は、タッチセンシティブ面を形成するために、透明面または半透明面と関係づけられている。
【００２３】
一実施形態によるスクリーンモジュールの制御手段は、このスクリーンモジュール外のヒューマン・マシン・インタフェースのコネクタに接続されている。
【００２４】
また、本発明は、ユーザがスクリーン上に表示される情報を見ることができるようになっているスクリーン開口部を有する筐体の中に配置された、多機能スクリーンモジュールを備えるヒューマン・マシン・インタフェースに関するものである。このスクリーンモジュールが、固有の制御手段を備えていることと、筐体が、スクリーンとは関係のない機能の少なくとも１つのコントロールボタン、および／または少なくとも１つのインジケータを備えていることとを特徴としている。
【００２５】
一実施形態では、スクリーン開口部は、ヒューマン・マシン・インタフェースのユーザに対して、スクリーンの輪郭の全部または一部を隠している。
【００２６】
一実施形態では、スクリーン開口部は、タッチセンシティブ面を形成する手段として、接触検出部などの制御手段を備えることもある、透明面または半透明面で覆われている。
【００２７】
一実施形態によるスクリーンモジュールの制御手段は、このスクリーンモジュール外のヒューマン・マシン・インタフェースのコネクタに接続されている。
【００２８】
最後に、本発明は、車両のダッシュボードに収容されるようになっている筐体の中に配置された多機能スクリーンを備えるヒューマン・マシン・インタフェースを組み立てる方法にも関する。このインタフェースは、上に述べた実施形態の１つと合致するので、このヒューマン・マシン・インタフェースは、単一ユニットとして、ダッシュボードに挿入そうる。
【００２９】
本発明の他の特徴および利点は、添付図を参照して、決して限定を目的としない実施形態の説明を読むことにより、明瞭になると思う。
【図面の簡単な説明】
【００３０】
【図１】多機能スクリーンを備える公知のヒューマン・マシン・インタフェースの断面図である。
【図２】本発明による、タッチセンシティブスクリーンを備えるヒューマン・マシン・インタフェースの断面図である。
【図３】本発明による、タッチセンシティブスクリーンを備えるヒューマン・マシン・インタフェースの断面図である。
【図４】本発明による、タッチセンシティブスクリーンを備えるヒューマン・マシン・インタフェースの断面図である。
【図５】本発明による、スクリーン開口部をタッチセンシティブスクリーンで覆う面を備えるヒューマン・マシン・インタフェースの断面図である。
【図６】本発明による、スクリーン開口部をタッチセンシティブスクリーンで覆う面を備えるヒューマン・マシン・インタフェースの断面図である。
【図７】本発明による、スクリーン開口部をタッチセンシティブスクリーンで覆う面を備えるヒューマン・マシン・インタフェースの断面図である。
【図８】公知のヒューマン・マシン・インタフェースと、本発明によるヒューマン・マシン・インタフェースとの概略比較図である。
【発明を実施するための形態】
【００３１】
各図における構造または機能が同一の要素には、特段の指定をしない限り、同じ符号を使用する。
【００３２】
図２の多機能スクリーン４４のモジュール４２を備えるヒューマン・マシン・インタフェース４０は、ユーザが、このスクリーン４４上に表示される情報を見ることができるようになっているスクリーン開口部４８を有する筐体４６の中に配置されている。
【００３３】
本発明によるモジュール４２は、固有の制御手段を備えている。すなわち、この実施形態では、モジュール４２のプリント回路５６に接続されたコネクタ５０、およびマイクロコントローラ５２を備えている。
【００３４】
従って、モジュール４２は、種々のヒューマン・マシン・インタフェースの中に、特にこれらのインタフェースに関連する他の要素の制御手段を適合させる必要なしに、容易に挿入することができる。
【００３５】
従って、これらのインタフェース４０の制御手段を適合させる必要なしに、種々のインタフェース４０に配置するために、全く同じモジュール４２を多数製造することができ、これにより、これらのモジュール４２およびインタフェース４０のコストは減少する。
【００３６】
図８は、上記のようなアレンジメントを、車両Ａ、Ｂ、ＣまたはＤの種々のタイプのヒューマン・マシン・インタフェースに関して示している。これらのインタフェースについて、従来技術（「前」）による製造方法、または本発明（「後」）による製造方法に応じたそれらの製造中の断面を、概略的に示している。
【００３７】
従来技術によってスクリーン１２を組み込むインタフェース１０とは異なって、本発明によるインタフェース４０は、これらのインタフェースの製造コストを抑えるために、種々の車両Ａ、Ｂ、ＣおよびＤに対してさえも、全く同じモジュール４２を用いて、スクリーン４４を組み込むのがわかる。
【００３８】
しかし、本発明によって製造されるインタフェースのそれぞれに、固有のスタイルを与えることを可能にするために、各インタフェースのスクリーン開口部４８（図２〜図７）は、異なっていてもよい。特に、ヒューマン・マシン・インタフェースのユーザに対して、スクリーン４４の輪郭５８の全部または一部を隠すために、異なっていてもよい。
【００３９】
インタフェースが設計される車両の型式、および／または範囲に応じて、この開口部の形状を適合させると、共通モジュール４２の使用にも関わらず、インタフェース４０のスタイル、および／またはデザインを適合させることができる。
【００４０】
図２〜図４に示す本発明の変形形態では、スクリーンは、単なる接触によって、インタフェースの操作を制御可能にする、タッチセンシティブ制御手段４７を備える面を備えている。
【００４１】
スクリーン開口部４８が、透明面または半透明面６０で覆われている図５〜図７の変形形態では、この半透明面６０は、接触検出部を備えるこれらのタッチセンシティブ制御手段４７を備えている。
【００４２】
タッチセンシティブ面の存在／位置に関わらず、全く同じ透明面または半透明面が、図４および図７に示すように、ヒューマン・マシン・インタフェースの正面を覆うことができることに注目すべきである。従って、インタフェース４０は、滑らかで均一な面を備えている。
【００４３】
図３および図６に示す変形形態によるスクリーンモジュールの制御手段、この例ではコネクタ５０は、スクリーンモジュール外にあるヒューマン・マシン・インタフェースの要素によって使用してもよい。このような使用は、ヒューマン・マシン・インタフェース全体で１つのコネクタが必要なときに、特に価値がある。この場合、内部リンクにより、スクリーンモジュール４２をこれらの要素に接続できる。
【００４４】
最後に、本発明は、計器盤に種々の制御要素を、簡単かつ迅速に組み込むことができる利点を有することに注目すべきである。
【００４５】
具体的には、ヒューマン・マシン・インタフェース４０は、全く同じ筐体の中に、スクリーンモジュールと、スクリーンとは関係のない機能に関連する少なくとも１つのコントロールボタン６７、および／または少なくとも１つのインジケータを備える計器盤５７を備えている。
【００４６】
例えば、スクリーンが衛星測位に関連する情報だけを表示する場合、計器盤５７は、空調に関連する制御を備えていてもよい。
【００４７】
この場合、この計器盤と、計器盤の中のスクリーンモジュールを、単一ユニットの中に容易に組み込むことができる。
【００４８】
本発明は、多くの変形形態を有している。例えば透明度を下げるために、および／またはインタフェースの技術要素を隠すようになっている不透明な覆いを形成するために、スクリーン印刷によって、またはプラスティックフィルムを貼り付けることによって、例えば層または堆積の状態とした顔料で、表面を覆うことも可能である。
【００４９】
同様に、インタフェースの正面は、スイッチやコントロールボタンなどの種々の要素を備えてもよい。また、種々の技術を本発明の前記した機能を行わせるために使用してもよい。一例として、タッチセンシティブ面を得るために、抵抗式タッチセンサ、または静電容量式タッチセンサを使用してもよい。
【符号の説明】
【００５０】
１０、１１  ヒューマン・マシン・インタフェース
１２  スクリーン
１４  筐体
１６  ボタン
１８  輪郭
２０  開口部
２２  プリント回路
２４  マイクロコントローラ
２６  コネクタ
２８  コネクタ
４０  ヒューマン・マシン・インタフェース
４２  モジュール
４４  スクリーン
４６  筐体
４７  タッチセンシティブ制御手段
４８  スクリーン開口部
５０  コネクタ
５２  制御手段
５６  プリント回路
５７  計器盤
５８  輪郭
６０  半透明面
６７  コントロールボタン
【図１】
2012533471.tif 000003
【図２】
2012533471.tif 000004
【図３】
2012533471.tif 000005
【図４】
2012533471.tif 000006
【図５】
2012533471.tif 000007
【図６】
2012533471.tif 000008
【図７】
2012533471.tif 000009
【図８】
2012533471.tif 000010
【国際調査報告】
2012533471.tif 000011
2012533471.tif 000012
2012533471.tif 000013
2012533471.tif 000014